(57)【要約】      （修正有）【課題】複層建築物の各階に階高を高くすることなく、中高木の植栽も可能とする２層（階）の高さを持った立体庭園（ヴァーチカルガーデン）の提供。【解決手段】複層建築物１の外壁または開口部より外側に床３２を取り付け、上下層の床３２間の高さを複層建築物１の２層の高さとし、立面視、左右隣り合う各階庭園２ａを上下に１層違えることによって、複層建築物１の各層（階）に複層建築物１の２層の高さを持った各階庭園２ａを敷設する。【選択図】図１
2010101156.tif 000002
【特許請求の範囲】
【請求項１】
複層建築物に敷設する立体庭園において
前記複層建築物の外壁または開口部より外側に床を取り付け、上下層の床間の高さを前記複層建築物の２層の高さとし、立面視、左右隣り合う各階庭園を上下に１層違えることによって、前記複層建築物の各層（階）に前記複層建築物の２層の高さを持った各階庭園を敷設したことを特徴とする立体庭園。
【請求項２】
前記複層建築物を集合住宅、宿舎または室（以降集合住宅等と呼ぶ）とし、前記集合住宅等の１住戸の概略１／２間口に前記各階庭園を敷設することによって、前記集合住宅等の各住戸または各室に２層の高さの各階庭園を敷設したことを特徴とする請求項１記載の立体庭園。
【請求項３】
前記立体庭園回りを逆梁構造とし、スラブ天端から梁天端までのスペースを、前記立体庭園の用土、ポットまたは根のスペースとしたことを特徴とする請求項１または２記載の立体庭園。
【発明の詳細な説明】
【技術分野】
【０００１】
本発明は、複層建築物に敷設する立体庭園に関するものである。立体庭園の諸システムは、潅水、栄養、薬剤補給、泥の回収、日照、樹木の支持、管理及び立体庭園の形態によって構成される。ここでいう用土とは、通気性や排水性に優れ、しかも保水性に富むという培養面に適している赤玉土、鹿沼土、腐葉土、砂類、粒状軽石等の総称である。用土の粒の大きさも培養面、潅水面、管理面において大きな要素になる。潅水スペースとは、根にあまねく潅水し、余分な水は流れて排水口に至らしめるスペースである。従って、根が用土と共に給排水性のある容器に入っている場合潅水スペースは、容器回りの空隙でよく、根が容器に入らずに露出している場合潅水スペースは、根回りの用土がくずれないようにし、かつ水が根に潅水した後排水口へ流れるようにするために用土間に空隙が必要であり、所定の粒の大きさが望まれる。根回りにおける管理スペースとは、伸びすぎた根を切断または植え替えを容易にするためのスペースである。従って、根が用土と共に根が伸出できる容器に入っている場合管理スペースは、容器回りの空隙でよく、根が容器に入らずに露出している場合管理スペースは、根回りの用土がくずれないようにしかつ用土を容易に撤去、復旧できることが望まれる。潅水スペースと管理スペースは兼ねることができる。樹木の支持方法については、高木を植えるにしても用土による建築物への荷重負担を最小限にすること、建築躯体への水の浸入を防ぐことがポイントになる。立体庭園の形態については、都市景観に緑を生むヴァーチカルガーデンであること、高層階であっても居室から緑が見えることが望まれる。
【背景技術】
【０００２】
従来建築物に敷設する立体庭園の形態と管理についての技術があった。（特許文献１参照）
【０００３】
建造物に敷設する庭園の潅水を含む屋上緑化システムの技術があった。（特許文献２参照）
【０００４】
屋上庭園の建築の防水と関係付けた施工方法の技術があった。（特許文献３、４参照）
【０００５】
潅水設備を持った壁面緑化装置の技術があった。（特許文献５参照）
【０００６】
屋上及び地上緑化システム用潅水制御装置の技術があった。（特許文献６参照）
【０００７】
植物の倒伏防止装置及び自動潅水装置を備えた分割ユニット式庭園の技術があった。（特許文献７参照）
【０００８】
構造物上の庭園に使用される植樹ポットの技術があった。（特許文献８参照）潅水装置を備えた組合せ式庭園の技術があった。（特許文献９参照）
【０００９】
人口地盤上での樹木の支持方法の技術があった。（特許文献１０参照）
【特許文献１】特公平７−１１３２７８
【特許文献２】特許第３６９９４２８号
【特許文献３】特開２００２−８４８７５
【特許文献４】特開２００４−２９３０３１
【特許文献５】特許第２８２２２９０号
【特許文献６】特許第３９９２９３９号
【特許文献７】特開２００４−４９１５６
【特許文献８】特開２００１−２７５５０
【特許文献９】特開平６−９８６３６
【特許文献１０】特開平１０−１４４１９
【発明の開示】
【発明が解決しようとする課題】
【００１０】
都市はますます高層化し、緑が少なくなってきている。高層ビル群の中では地上の緑だけでは十分ではない。ヒートアイランドの公害も発生している。二酸化炭素削減の課題もある。建築物に敷設した立体庭園（ヴァーチカルガーデン）が望まれる。
【００１１】
住宅も高層化し、暮しから自然が遠ざかってきている。各住戸に庭園が望まれる。現在の高層住宅の階高では中高木を植えた庭園を造るには低過ぎる。そのために階高を高くするのも不経済である。現在の高層住宅の階高を高くすることなく、高層住宅の各住戸に中高木が植えられる庭園を敷設することが望まれる。
【００１２】
立体庭園の樹木の支持方法においては、外観上の配慮から支柱を使わず、なおかつ用土の荷重を減らして建築物への荷重負担を減らすことが望まれる。また、高木を植栽する場合、強風に対して転倒しないようにするためには、高木を容器に入れて置くだけでなく建築躯体と連結して支持することが必要となる。その場合建築物への防水性を図りながらどのように高木を建築躯体で支持するのかが課題になる。これについては、別途出願をしている。（特願２００８−２７５７２２参照）
【課題を解決するための手段】
【００１３】
複層建築物に敷設する立体庭園において
前記複層建築物の外壁または開口部より外側に床を取り付け、上下層の床間の高さを前記複層建築物の２層の高さとし、立面視、左右隣り合う各階庭園を上下に１層違えることによって、前記複層建築物の各層（階）に前記複層建築物の２層の高さを持った立体庭園を敷設したことを特徴とする立体庭園である。
【発明の効果】
【００１４】
都市内建築物に立体庭園（ヴァーチカルガーデン）を敷設することにより、都市の景観を良くし、ヒートアイランド、二酸化炭素の削減にも寄与する。また、そこで暮す人、仕事をする人に潤いを与える。庭園の替りに、菜園または稲園とすることもできる。
【発明を実施するための最良の形態】
【００１５】
図１は、立体庭園実施例の断面図である。複層建築物（１）の外壁または開口部より外側に床（３２）を取り付け、上下層の床（３２）間の高さを前記複層建築物（１）の２層の高さとし、立面視、左右隣り合う各階庭園（２a）を上下に１層違えることによって、前記複層建築物（１）の各層（階）に前記複層建築物（１）の２層の高さを持った各階庭園（２a）を敷設する。
【００１６】
前記複層建築物（１）を集合住宅（４）、宿舎または室（以降集合住宅等と呼ぶ）とし、前記集合住宅等の概略１／２間口に前記各階庭園（２a）を敷設することによって、前記集合住宅（４）等の各住戸（４a）または各室に２層の高さの各階庭園（２a）を敷設する。  
【００１７】
前記各階庭園（２a、）回りを逆梁構造（４２）とし、スラブ（３２）天端から梁天端までのスペースを、前記各階庭園（２a、）の用土、ポット等のスペースとして使用する。
【図面の簡単な説明】
【００１８】
【図１】立体庭園実施例の断面図。
【符号の説明】
【００１９】
１            複層建築物
２a、         各階庭園
４            集合住宅
４a           住戸
２０          潅水スペース
２２          オーバーフロー排水口
２３          排水口
２４          オーバーフロー貯水槽
２５          オーバーフロー貯水槽排水口
２６          泥溜
３２          床（スラブ）
３６          根
４０          管理スペース
４２          逆梁構造
【図１】
2010101156.tif 000003
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
複層建築物に敷設する立体庭園において
前記複層建築物の外壁または開口部より外側に床を取り付け、上下層の床間の高さを前記複層建築物の２層の高さとし、前記２層からなる空間を、正面視左右に分割し、前記左右隣り合う２層の空間を上下に１層違えることによって、前記複層建築物の各層に２層の空間を持った各階庭園を敷設したことを特徴とする立体庭園。
【請求項２】
複層建築物に敷設する立体庭園において
前記複層建築物を集合住宅または宿舎とし、前記集合住宅または宿舎の間口に、外壁または開口部より外側に床を取り付け、上下層の床間の高さを前記複層建築物の２層の高さとし、前記２層からなる空間を、正面視左右に分割し、前記左右隣り合う２層の空間を上下に１層違えることによって、前記集合住宅の各住戸または各宿舎に２層の空間を持った各階庭園を敷設したことを特徴とする立体庭園。
【請求項３】
前記立体庭園回りを逆梁構造とし、床天端から梁天端までのスペースを、前記立体庭園の用土、ポットまたは根のスペースとしたことを特徴とする請求項１または２記載の立体庭園。
【手続補正２】
【補正対象書類名】明細書
【補正対象項目名】００１３
【補正方法】変更
【補正の内容】
【００１３】
複層建築物に敷設する立体庭園において
前記複層建築物の外壁または開口部より外側に床を取り付け、上下層の床間の高さを前記複層建築物の２層の高さとし、前記２層からなる空間を、正面視左右に分割し、前記左右隣り合う２層の空間を上下に１層違えることによって、前記複層建築物の各層に２層の空間を持った各階庭園を敷設したことを特徴とする立体庭園である。
【手続補正３】
【補正対象書類名】明細書
【補正対象項目名】００１５
【補正方法】変更
【補正の内容】
【００１５】
図１は、立体庭園実施例の断面図である。正面図は図１を左側から見た図になる。複層建築物（１）の外壁または開口部より外側に床（３２）を取り付け、上下層の床（３２）間の高さを前記複層建築物（１）の２層の高さとし、前記２層からなる空間を、正面視左右に分割し、前記左右隣り合う２層の空間を上下に１層違えることによって、前記複層建築物の各層（階）に２層の空間を持った各階庭園（２a）を敷設したことを特徴とする立体庭園である。
【手続補正４】
【補正対象書類名】明細書
【補正対象項目名】００１６
【補正方法】変更
【補正の内容】
【００１６】
前記複層建築物（１）を集合住宅（４）または宿舎とし、前記集合住宅（４）または宿舎の間口に、外壁または開口部より外側に床（３２）を取り付け、上下層の床間の高さを前記複層建築物の２層の高さとし、前記２層からなる空間を、正面視左右に分割し、前記左右隣り合う２層の空間を上下に１層違えることによって、前記集合住宅（４）の各住戸（４a）または各宿舎に２層の空間を持った各階庭園（２a）を敷設したことを特徴とする。
【手続補正５】
【補正対象書類名】明細書
【補正対象項目名】００１９
【補正方法】変更
【補正の内容】
【００１９】
１            複層建築物
２a、         各階庭園
４            集合住宅
４a           住戸
２０          潅水スペース
２２          オーバーフロー排水口
２３          排水口
２４          オーバーフロー貯水槽
２５          オーバーフロー貯水槽排水口
２６          泥溜
３２          床（スラブ）
３６          根
４０          管理スペース
４２          逆梁構造
４３          床天端
４４          梁天端
【手続補正６】
【補正対象書類名】図面
【補正対象項目名】図１
【補正方法】変更
【補正の内容】
【図１】
2010101156.tif 000004